(57)【要約】【課題】  卵胞より卵子を採卵を経皮的に容易に採取することができる経皮的卵子採取用器具を提供する。【解決手段】  経皮的卵子採取用器具１は、経皮的に卵胞より卵子を採取するための器具である。卵子採取用器具１は、外套管２と、採卵針３とからなる。外套管２は、先端に刃面を持たない中空管２０と、中空管２０内に抜去可能かつ中空管２０の先端より所定長突出するように挿入された穿刺針２１と、中空管２０の外面に移動可能に設けられた皮膚への係止用部材２２とを備える。採卵針３は、先端に刃面３１を備え、中空管２０内に挿入および抜去可能かつ中空管２０の先端より所定長突出可能である中空針３０と、中空針３０の基端部内部と連通するチューブ部材３２と、チューブ部材３２の基端部に固定された吸引手段接続部３３とを備える。【選択図】    図１
2006055219.tif 000002
【特許請求の範囲】
【請求項１】
経皮的に卵胞より卵子を採取するための経皮的卵子採取用器具であって、該卵子採取用器具は、外套管と、採卵針とからなり、前記外套管は、先端に刃面を持たない中空管と、該中空管内に抜去可能かつ前記中空管の先端より所定長突出するように挿入された穿刺針と、前記中空管の外面に移動可能に設けられた皮膚への係止用部材とを備え、前記採卵針は、先端に刃面を備え、前記中空管内に挿入および抜去可能かつ該中空管の先端より所定長突出可能である中空針と、該中空針の基端部内部と連通するチューブ部材と、該チューブ部材の基端部に固定された吸引手段接続部とを備えることを特徴とする経皮的卵子採取用器具。
【請求項２】
前記穿刺針は、中実針もしくは先端が閉塞した中空針である請求項１に記載の経皮的卵子採取用器具。
【請求項３】
前記採卵針は、前記吸引手段接続部から所定長前記チューブ部材の先端部に延びる補強用部材を備えている請求項１または２に記載の経皮的卵子採取用器具。
【請求項４】
前記吸引手段接続部は、シリンジが取付可能な接続部である請求項１ないし３のいずれかに記載の経皮的卵子採取用器具。
【請求項５】
前記吸引手段接続部は、吸引装置への取付が可能な接続部である請求項１ないし３のいずれかに記載の経皮的卵子採取用器具。
【発明の詳細な説明】
【技術分野】
【０００１】
本発明は、経皮的卵子採取用器具、例えば、腹腔鏡下において経皮的に卵子を採取するための器具に関する。
【背景技術】
【０００２】
多嚢胞性卵巣症候群（ＰＣＯＳ）に起因する不妊症例に対して、クロミフェンが無効である場合には、ｈＭＧ（ｐｕｒｉｆｉｅｄ  ＦＳＨ）による卵巣刺激が行われることが多い。上記治療法においては、卵巣過剰刺激症候群（ＯＨＳＳ）の発症リスクが高い。ＯＨＳＳを回避する目的で、腹腔鏡下卵巣表面ドリリング（ＯＤ）および未成熟卵採卵〜体外成熟〜顕微授精〜胚移植（ＩＶＭ−ＩＣＳＩ−ＥＴ）等が行われている。
腹腔鏡下卵巣表面ドリリング（ＯＤ）としては、腹腔鏡下に、卵巣表面に集族する小卵胞を電気メス・レーザー・超音波メス等を用いて穿刺し、内腔の焼灼を行う。通常両側卵巣に対して行い、一側当たり数箇所から数十箇所処置を行う。
【発明の開示】
【発明が解決しようとする課題】
【０００３】
従来の経皮的卵子採取用器具としては、採卵を容易に行えるものではなかった。
本発明の目的は、卵胞からの卵子の採取を経皮的に容易に行うことができる経皮的卵子採取用器具を提供するものである。
【課題を解決するための手段】
【０００４】
上記目的を達成するものは、下記のものである。
（１）  経皮的に卵胞より卵子を採取するための経皮的卵子採取用器具であって、該卵子採取用器具は、外套管と、採卵針とからなり、前記外套管は、先端に刃面を持たない中空管と、該中空管内に抜去可能かつ前記中空管の先端より所定長突出するように挿入された穿刺針と、前記中空管の外面に移動可能に設けられた皮膚への係止用部材とを備え、前記採卵針は、先端に刃面を備え、前記中空管内に挿入および抜去可能かつ該中空管の先端より所定長突出可能である中空針と、該中空針の基端部内部と連通するチューブ部材と、該チューブ部材の基端部に固定された吸引手段接続部とを備える経皮的卵子採取用器具。
（２）  前記穿刺針は、中実針もしくは先端が閉塞した中空針である上記（１）に記載の経皮的卵子採取用器具。
（３）  前記採卵針は、前記吸引手段接続部から所定長前記チューブ部材の先端部に延びる補強用部材を備えている上記（１）または（２）に記載の経皮的卵子採取用器具。
（４）  前記吸引手段接続部は、シリンジが取付可能な接続部である上記（１）ないし（３）のいずれかに記載の経皮的卵子採取用器具。
（５）  前記吸引手段接続部は、吸引装置への取付が可能な接続部である上記（１）ないし（３）のいずれかに記載の経皮的卵子採取用器具。
【発明の効果】
【０００５】
本発明の経皮的卵子採取用器具によれば、採卵針操作中における皮膚組織により採卵針に与えられる抵抗がないため、採卵針の操作が容易であり、卵子を経皮的に容易に採取することができ、かつ、採卵針操作中における皮膚組織により採卵針に与えられる抵抗がないため卵子採取者に与える負担も少ない。
【発明を実施するための最良の形態】
【０００６】
本発明の経皮的卵子採取用器具を図面に示した実施例を用いて説明する。
図１は、本発明の経皮的卵子採取用器具の一実施例の部分省略正面図である。図２は、図１に示した経皮的卵子採取用器具の外套管の部分省略拡大断面図である。図３は、図１に示した経皮的卵子採取用器具の採卵針の部分省略の拡大断面図である。
経皮的卵子採取用器具１は、経皮的に卵胞より卵子を採取するための経皮的卵子採取用器具である。卵子採取用器具１は、外套管２と、採卵針３とからなる。外套管２は、先端に刃面を持たない中空管２０と、中空管２０内に抜去可能かつ中空管２０の先端より所定長突出するように挿入された穿刺針２１と、中空管２０の外面に移動可能に設けられた皮膚への係止用部材２２とを備える。採卵針３は、先端に刃面３１を備え、中空管２０内に挿入および抜去可能かつ中空管２０の先端より所定長突出可能である中空針３０と、中空針３０の基端部内部と連通するチューブ部材３２と、チューブ部材３２の基端部に固定された吸引手段接続部３３とを備える。
本発明の卵子採取用器具１は、外套管２と、採卵針３とからなる。
外套管２は、中空管２０と穿刺針２１とからなる。
【０００７】
中空管２０は、先端より基端まで貫通した内腔を有する管状体であり、先端に刃面を持たず、さらに、基端に中空管ハブ２３が固定されている。また、中空針の外径としては、１．２５〜２．００ｍｍ程度、内径が０．８６〜１．５０ｍｍ程度が好適である。長さは、７０〜１５０ｍｍ程度が好適である。また、中空管２０の形成材料としては、金属管、硬質合成樹脂管が用いられる。金属としては、ステンレス鋼が好適である。硬質合成樹脂としては、ＰＴＦＥ、ＥＴＦＥなどのフッ素樹脂が好ましい。
穿刺針２１は、中空管２０内に抜去可能かつ中空管２０の先端より所定長突出するように中空管２０に挿入されている。穿刺針２１は、先端に経皮的に腹腔に到達可能な刃面２１ａを備えている。刃面の形状はどのようなものであってもよい。穿刺針２１としては、中実針もしくは先端が閉塞した中空針であることが好ましい。また、穿刺針の外径としては、０．８６〜１．５０ｍｍ程度が好適である。長さは、９０〜１７０ｍｍ程度が好適である。さらに、穿刺針２１は、中空管２０内に挿入したとき、中空管２０の先端より、０〜２０ｍｍ、好ましくは２〜１５ｍｍ突出する長さを備えることが好ましい。また、穿刺針２０の形成材料としては、金属、硬質合成樹脂が用いられる。金属としては、ステンレス鋼が好適である。硬質合成樹脂としては、ＰＴＦＥ、ＥＴＦＥなどのフッ素樹脂が好ましい。そして、穿刺針２１の基端には、穿刺針ハブ２４が固定されている。そして、この穿刺針ハブ２４の先端部は、中空針ハブ２３の基端部と係合可能なものとなっている。
【０００８】
そして、中空管２０の外面には、皮膚への係止用部材２２が設けられている。この係止用部材２２は、中空管２０の外面を移動可能（具体的には、摺動可能）に設けられている。そして、腹腔鏡下において確認した腹腔の大きさを考慮して、筒状部材を中空管２０の適宜位置に移動させた後に、生体に穿刺することにより、筒状部材が穿刺の指標となるとともにそれ以上の穿刺を規制するために、過剰な深さに穿刺することがない。係止用部材としては、移動可能であればどのようなものでもよいが、筒状もしくはリング状部材が好ましい。さらに、この係止用部材は、中空管の皮膚への固定の際に利用できるものであることが好ましい。係止用部材の形成材料としては、ある程度の可撓性を有するものが好ましく、ポリオレフィン（例えば、ポリエチレン、ポリプロピレン、エチレン−プロピレンコポリマー）、ポリアミド（例えば、６ナイロン、６６ナイロン）、ポリエステル（例えば、ポリエチレンテレフタレート）、ウレタンゴム、シリコーンゴム、ブタジエンゴムなどの合成ゴム、ラテックスゴムなどの天然ゴム、ポリオレフィン系エラストマー、ポリアミド系エラストマー、スチレン系エラストマー（例えば、スチレン−ブタジエン−スチレンコポリマー、スチレン−イソプレン−スチレンコポリマー、スチレン−エチレンブチレン−スチレンコポリマー）などのエラストマー、ポリウレタン等が使用できる。
【０００９】
採卵針３は、中空針３０と、その基端部内部と連通するチューブ部材３２と、チューブ部材３２の基端部に固定された吸引手段接続部３３とを備える。
中空針３０は、先端に刃面３１を備え、中空管２０内に挿入および抜去可能かつ中空管２０の先端より所定長突出可能なものである。中空針３０は、先端より基端まで貫通した内腔を有し、かつ先端に卵胞内に刺し入るための刃面３１を備えている。刃面の形状はどのようなものであってもよい。中空針３０の外径としては、０．９０〜１．４８ｍｍ程度が好適であり、内径は、０．６４〜１．１３ｍｍ程度が好適である。長さは、１７０〜２５０ｍｍ程度が好適である。さらに、中空針３０は、中空管２０内に挿入したとき、中空管２０の先端より、２５〜８０ｍｍ突出する長さを備えることが好ましい。また、中空針３０の形成材料としては、金属管、硬質合成樹脂管が用いられる。金属としては、ステンレス鋼が好適である。硬質合成樹脂としては、ＰＴＦＥ、ＥＴＦＥなどのフッ素樹脂が好ましい。そして、中空針３０の基端には、中空針ハブ３４が固定されている。
【００１０】
そして、この実施例の採卵針３では、中空針３０は、その基端部より若干先端側の位置に被嵌された被覆チューブ３５を介して、中空針ハブ３４が固定されている。そして、中空針３０の基端は、中空針ハブ３４の基端より突出しており、その突出部に、チューブ部材３２が取り付けられている。また、チューブ部材３２の先端部には、中空針３０の基端が位置する部分の前後を被包するように保護チューブ３６が被嵌されている。これにより、チューブ部材３２の中空針３０の基端でのキンクを防止している。
【００１１】
チューブ部材３２は、先端から基端までほぼ同一外径およびほぼ同一内径を有する可撓性を有するチューブ体である。チューブ部材、被覆チューブおよび保護チューブの形成材料としては、ある程度の可撓性とある程度のコシを有するものが好ましく、ポリオレフィン（例えば、ポリエチレン、ポリプロピレン、エチレン−プロピレンコポリマー）、ポリアミド（例えば、６ナイロン、６６ナイロン）、ポリエステル（例えば、ポリエチレンテレフタレート）、フッ素樹脂（例えば、ＰＴＦＥ、ＥＴＦＥ）、ウレタンゴム、シリコーンゴム、ブタジエンゴムなどの合成ゴム、ラテックスゴムなどの天然ゴム、ポリオレフィン系エラストマー、ポリアミド系エラストマー、スチレン系エラストマー（例えば、スチレン−ブタジエン−スチレンコポリマー、スチレン−イソプレン−スチレンコポリマー、スチレン−エチレンブチレン−スチレンコポリマー）などのエラストマー、ポリウレタン、特に、熱可塑性ポリウレタン（熱可塑性ポリエーテルポリウレタン、熱可塑性ポリエステルポリウレタン、特に、好ましくは、ソフトセグメント部分とハードセグメント部分を有するセグメント化熱可塑性ポリエーテルポリウレタン、より具体的には、ソフトセグメントの主成分としては、ポリテトラメチレンエーテルグリコール、ポリエチレングリコール、ポリプロピレングリコールなどが好ましく、ハードセグメントの主成分としては、１，４−ブタンジオールなどが好ましい）等が使用できる。好ましくは、フッ素樹脂（例えば、ＰＴＦＥ、ＥＴＦＥ）である。
チューブ部材３２は、長さが、１００〜７００ｍｍ、好ましくは、１５０〜２５０ｍｍである。また、外径は、１．０〜２．０ｍｍ、好ましくは、１．４６〜１．７９ｍｍである。また、内径は、０．７〜１．５ｍｍ、好ましくは、０．８６〜１．１９ｍｍである。
【００１２】
そして、チューブ部材３２の基端部には、吸引手段接続部３３が固定されている。この吸引手段接続部３３は、基端部の内面形状は、シリンジのチップ部と接続可能なものとなっている。さらに、この実施例の採卵針３では、吸引手段接続部３３から所定長チューブ部材の先端側に延びる補強用部材３７を備えている。この補強用部材３７を備えることにより、吸引手段との接続作業ならび吸引作業が容易なものとなる。補強用部材３７としては、一端が吸引手段接続部３３内に位置し、他端がチューブ部材３２の基端部内に延びる管状体が好ましい。また、一端が吸引手段接続部３３の外面に固定され、他端がチューブ部材３２の基端部外面上を延びる管状体であってもよい。管状体としては、硬質管状体もしくはコイルスプリングが好ましい。管状体の形成材料としては、金属、合成樹脂などが使用できる。
【００１３】
また、採卵針は、図４に示すようなものであってもよい。図４は、本発明の他の実施例の経皮的卵子採取用器具の採卵針の部分省略正面図である。図５は、図４の採卵針の部分省略の拡大断面図である。
この採卵針４０と、上述した採卵針３との相違は、吸引手段接続部の形態のみである。この実施例の採卵針４０では、吸引手段接続部４４は、採取用器具の開口部に取り付けるための栓体４５と、この栓体４５に取り付けられた吸引手段取付部４６を備えている。そして、一端が中空針３０の基端に取り付けられたチューブ部材３２の他端は、栓体４５を貫通している。そして、チューブ部材３２の他端は、拡径部となっている。そして、図５に示すように、チューブ部材３２の基端部には、チューブ部材３２の基端付近から栓体を貫通し、所定長チューブ部材の先端側に延びるチューブ補強用部材４８を備えている。補強用部材４８としては、チューブ部材３２内を延びる管状体が好ましい。また、補強用部材４８は、チューブ部材３２の基端部外面上を延びる管状体であってもよい。管状体としては、硬質管状体もしくはコイルスプリングが好ましい。管状体の形成材料としては、金属、合成樹脂などが使用できる。
【００１４】
また、吸引手段取付部４６は、取付部本体４６とこの本体４６より伸び、栓体４５を貫通するシャフト部４７を備えている。シャフト部４７は、屈曲している。取付部本体４６の基端部の内面形状は、吸引装置（図示せず）のコネクタと接続可能なものとなっている。
栓体４５の形成材料としては、ウレタンゴム、シリコーンゴム、ブタジエンゴムなどの合成ゴム、ラテックスゴムなどの天然ゴム、ポリオレフィン系エラストマー、ポリアミド系エラストマー、スチレン系エラストマー（例えば、スチレン−ブタジエン−スチレンコポリマー、スチレン−イソプレン−スチレンコポリマー、スチレン−エチレンブチレン−スチレンコポリマー）などのエラストマー、ポリウレタン等が使用できる。
【００１５】
次に、本発明の経皮的卵子採取用器具の使用方法について説明する。
図１に示すような経皮的卵子採取用器具および吸引手段接続部にシリンジを取り付けたものを準備する。また、卵子採取対象者には、腹部より腹腔鏡を生体内に挿入する。そして、外套管の皮膚への係止用部材を適宜位置に配置した後、対象者に外套管を穿刺する。そして、外套管２より穿刺針２１を抜去し、中空管２０のみとした後、係止用部材２２を用いて中空管２０を皮膚に固定する。続いて、図６に示すように、この中空管２０内に採卵針３を挿入し、腹腔鏡にて卵巣を確認し、卵胞に採卵針の先端を刺入し、シリンジ５０を吸引（具体的には、プランジャを引く）することにより、卵子を採卵針内に採取する。この手技を必要な回数繰り返して、複数の卵子を採取する。そして、採取が終了した後、採卵針を抜去し、中空管を取り外すことにより、手技が終了する。
【図面の簡単な説明】
【００１６】
【図１】図１は、本発明の経皮的卵子採取用器具の一実施例の部分省略正面図である。
【図２】図２は、図１に示した経皮的卵子採取用器具の外套管の部分省略拡大断面図である。
【図３】図３は、図１に示した経皮的卵子採取用器具の採卵針の部分省略の拡大断面図である。
【図４】図４は、本発明の他の実施例の経皮的卵子採取用器具の採卵針の部分省略正面図である。
【図５】図５は、図４の採卵針の部分省略の拡大断面図である。
【図６】図６は、本発明の経皮的卵子採取用器具の作用を説明するための説明図である。
【符号の説明】
【００１７】
１  経皮的卵子採取用器具
２  外套管
３  採卵針
２０  中空管
２１  穿刺針
３０  中空針
３２  チューブ部材
３３  吸引手段接続部
【図１】
2006055219.tif 000003
【図２】
2006055219.tif 000004
【図３】
2006055219.tif 000005
【図４】
2006055219.tif 000006
【図５】
2006055219.tif 000007
【図６】
2006055219.tif 000008